(57)【特許請求の範囲】
【請求項１】
水に、エチレンジアミン四酢酸すなわちエチレンジアミン−Ｎ，Ｎ，Ｎ′，Ｎ′−四酢酸とりもなおさずＥＤＴＡ、ジエチレントリアミン五酢酸すなわちジエチレントリアミン−Ｎ，Ｎ，Ｎ′，Ｎ″，Ｎ″−五酢酸とりもなおさずＤＴＰＡ、メルカプト酢酸すなわちチオグリコール酸、イミノ二酢酸すなわちＩＤＡ、ニトリロ三酢酸すなわちＮＴＡ、エチレンジアミン−Ｎ，Ｎ′−二酢酸すなわちＥＤＤＡ、トリエチレンテトラミン−Ｎ，Ｎ，Ｎ′，Ｎ″，Ｎ″′，Ｎ″′−六酢酸すなわちＴＴＨＡ、Ｎ−ヒドロキシエチルエチレンジアミン−Ｎ，Ｎ′，Ｎ′−三酢酸すなわちＨＥＤＴＡ、エチレングリコールビス（２−アミノエチルエーテル）−Ｎ，Ｎ，Ｎ′，Ｎ′−四酢酸すなわち２，２′−エチレンジオキシ−ビス（エチルイミノ二酢酸）とりもなおさずグリコールエーテルジアミン−Ｎ，Ｎ，Ｎ′，Ｎ′−四酢酸すなわちＧＥＤＴＡとりもなおさずＥＧＴＡ、Ｎ，Ｎ′−エチレン−ビス（α−ｏ−ヒドロキシフェニル）グリシンすなわちＥＨＰＧ、Ｎ−メチルイミノ二酢酸すなわちＭＩＤＡ、Ｎ−シクロヘキシルイミノ二酢酸、Ｎ−フェニルイミノ二酢酸、ベンジルアミン−Ｎ，Ｎ−二酢酸、Ｎ−（２−フリルメチル）イミノ二酢酸、Ｎ−（２−テトラヒドロピラニルメチル）イミノ二酢酸、２−アミノメチルピリジン−Ｎ，Ｎ−二酢酸、Ｎ−（２−メトキシエチル）イミノ二酢酸、Ｎ−（２−メチルチオエチル）イミノ二酢酸、Ｎ−２−ヒドロキシエチルイミノ二酢酸、Ｎ−（３−ヒドロキシプロピル）イミノ二酢酸、Ｎ−（２−ヒドロキシシクロヘキシル）イミノ二酢酸、Ｎ−（ｏ−ヒドロキシフェニル）イミノ二酢酸、ｏ−ヒドロキシベンジルアミン−Ｎ，Ｎ−二酢酸、Ｎ−２−メルカプトエチルイミノ二酢酸、Ｎ−（ｏ−メルカプトフェニル）イミノ二酢酸、Ｎ−シアノメチルイミノ二酢酸、Ｎ−（カルバモイルメチル）イミノ二酢酸すなわちＮ−（アセトアミド）イミノ二酢酸とりもなおさずＡＡＤＡ、アミノアセトン−Ｎ，Ｎ−二酢酸すなわち１−アミノプロパン−２−オン−Ｎ，Ｎ−二酢酸、ω−アミノアセトフェノン−Ｎ，Ｎ−二酢酸、２−グリシルチオフェン−Ｎ，Ｎ−二酢酸、Ｎ−（ｏ−カルボキシフェニル）イミノ二酢酸、Ｎ−（２−アミノエチル）イミノ二酢酸すなわちエチレンジアミン−Ｎ，Ｎ−二酢酸とりもなおさずＵ−ＥＤＤＡ、ニトリロ二酢酸−メチレンホスホン酸すなわちＮ−ホスホノメチルイミノ二酢酸、ニトリロ酢酸−ジ（メチレンホスホン酸）すなわちＮ，Ｎ−ジ（ホスホノメチル）グリシン、エチレンジアミン−Ｎ，Ｎ′−ジ−α−プロピオン酸すなわちエチレンジアミン−Ｎ，Ｎ′−ジ−Ｃ−メチル酢酸とりもなおさずＥＤＤＭＡ、エチレンジアミン−Ｎ，Ｎ′−ジ−β−プロピオン酸すなわちＥＤＤＰ、Ｎ，Ｎ′−ジ（２−ヒドロキシベンジル）エチレンジアミン−Ｎ，Ｎ′−二酢酸すなわちエチレンジニトリロ−Ｎ，Ｎ′−ビス（２−ヒドロキシベンジル）−Ｎ，Ｎ′−二酢酸とりもなおさずＨＢＥＤ、Ｎ，Ｎ′−エチレン−ビス（２−アミノメチルピリジン）−Ｎ，Ｎ′−二酢酸すなわちエチレンジニトリロ−Ｎ，Ｎ′−ビス（２′−ピリジルメチル）−Ｎ，Ｎ′−二酢酸、エチレンジアミン−Ｎ，Ｎ′−二酢酸−Ｎ，Ｎ′−ジアセトヒドロキサム酸すなわちＥＤＴＡ−Ｄ���、Ｎ−ブチルエチレンジアミン−Ｎ，Ｎ′，Ｎ′−三酢酸、Ｎ−シクロヘキシルエチレンジアミン−Ｎ，Ｎ′，Ｎ′−三酢酸、Ｎ−オクチルエチレンジアミン−Ｎ，Ｎ′，Ｎ′−三酢酸、Ｎ−エイコシルエチレンジアミン−Ｎ，Ｎ，Ｎ′−三酢酸、Ｎ−ベンジルエチレンジアミン−Ｎ，Ｎ′，Ｎ′−三酢酸、１，２−プロピレンジアミン−Ｎ，Ｎ，Ｎ′，Ｎ′−四酢酸すなわち１，２−ジアミノプロパン−Ｎ，Ｎ，Ｎ′，Ｎ′−四酢酸とりもなおさずＣ−ＭｅＥＤＴＡ、ｄ，ｌ−２，３−ジアミノブタン−Ｎ，Ｎ，Ｎ′，Ｎ′−四酢酸すなわちｄ，ｌ−ＤＩＭＥＤＴＡとりもなおさずｄ，ｌ−ＢＤＴＡ、ｍｅｓｏ−２，３−ジアミノブタン−Ｎ，Ｎ，Ｎ′，Ｎ′−四酢酸すなわちｍｅｓｏ−ＤＩＭＥＤＴＡとりもなおさずｍｅｓｏ−ＢＤＴＡ、１−フェニルエチレンジアミン−Ｎ，Ｎ，Ｎ′，Ｎ′−四酢酸すなわちＣ−ＰｈＥＤＴＡ、ｄ，ｌ−１，２−ジフェニルエチレンジアミン−Ｎ，Ｎ，Ｎ′，Ｎ′−四酢酸すなわちｄ，ｌ−ＤＰＥＤＴＡ、１，３−ジアミノプロパン−Ｎ，Ｎ，Ｎ′，Ｎ′−四酢酸、１，４−ジアミノブタン−Ｎ，Ｎ，Ｎ′，Ｎ′−四酢酸すなわちテトラメチレンジアミン四酢酸とりもなおさずＴＥＴＡ、１，５−ジアミノペンタン−Ｎ，Ｎ，Ｎ′，Ｎ′−四酢酸、１，６−ジアミノヘキサン−Ｎ，Ｎ，Ｎ′，Ｎ′−四酢酸、１，８−ジアミノオクタン−Ｎ，Ｎ，Ｎ′，Ｎ′−四酢酸、ｔｒａｎｓ−シクロブタン−１，２−ジアミン−Ｎ，Ｎ，Ｎ′，Ｎ′−四酢酸すなわちＣＢＤＴＡ、ｔｒａｎｓ−シクロペンタン−１，２−ジアミン−Ｎ，Ｎ，Ｎ′，Ｎ′−四酢酸すなわちｔｒａｎｓ−ＣＰＤＴＡ、ｔｒａｎｓ−シクロヘキサン−１，２−ジアミン−Ｎ，Ｎ，Ｎ′，Ｎ′−四酢酸すなわちｔｒａｎｓ−ＣｙＤＴＡとりもなおさずｔｒａｎｓ−ＤＣＴＡ、ｃｉｓ−シクロヘキサン−１，２−ジアミン−Ｎ，Ｎ，Ｎ′，Ｎ′−四酢酸すなわちｃｉｓ−ＣｙＤＴＡとりもなおさずｃｉｓ−ＤＣＴＡ、シクロヘキサン−１，３−ジアミン−Ｎ，Ｎ，Ｎ′，Ｎ′−四酢酸すなわち１，３−ＣｙＤＴＡとりもなおさず１，３−ＤＣＴＡ、シクロヘキサン−１，４−ジアミン−Ｎ，Ｎ，Ｎ′，Ｎ′−四酢酸すなわち１，４−ＣｙＤＴＡとりもなおさず１，４−ＤＣＴＡ、ｏ−フェニレンジアミン−Ｎ，Ｎ，Ｎ′，Ｎ′−四酢酸すなわちｏ−ＰＤＴＡ、ｃｉｓ−１，４−ジアミノブテン−Ｎ，Ｎ，Ｎ′，Ｎ′−四酢酸すなわちｃｉｓ−ＢＤＴＡ、ｔｒａｎｓ−１，４−ジアミノブテン−Ｎ，Ｎ，Ｎ′，Ｎ′−四酢酸すなわちｔｒａｎｓ−ＢＤＴＡ、α，α′−ジアミノ−ｏ−キシレン−Ｎ，Ｎ，Ｎ′，Ｎ′−四酢酸すなわちｏ−ＸｙＤＴＡ、２−ヒドロキシ−１，３−プロパンジアミン−Ｎ，Ｎ，Ｎ′，Ｎ′−四酢酸すなわちＨＰＤＴＡ、２，２′−オキシ−ビス（エチルイミノ二酢酸）すなわちエチルエーテルジアミン−Ｎ，Ｎ，Ｎ′，Ｎ′−四酢酸とりもなおさずＥＥＤＴＡ、３，３′−オキシ−ビス（プロピルイミノ二酢酸）すなわちプロピルエーテルジアミン−Ｎ，Ｎ，Ｎ′，Ｎ′−四酢酸、２，２′−チオ−ビス（エチルイミノ二酢酸）すなわちエチルチオエーテルジアミン−Ｎ，Ｎ，Ｎ′，Ｎ′−四酢酸、２，２′−エチレン−ビス−チオ（エチルイミノ二酢酸）すなわちグリコールチオエーテルジアミン−Ｎ，Ｎ，Ｎ′，Ｎ′−四酢酸、Ｎ，Ｎ′−グリシルエチレンジアミン−Ｎ″，Ｎ″，Ｎ″′，Ｎ″′−四酢酸、エチレンジアミン−Ｎ，Ｎ′−二酢酸−Ｎ，Ｎ′−ジ−α−プロピオン酸すなわちＥＤＤＡＤＰ、エチレンジアミン−Ｎ，Ｎ′−二酢酸−Ｎ，Ｎ′−ジ−β−プロピオン酸すなわちＥＤＰＡ、エチレンジアミン−Ｎ，Ｎ，Ｎ′，Ｎ′−テトラプロピオン酸すなわちＥＤＴＰ、エチレンジアミン−Ｎ，Ｎ′−ジ（アセチルグリシン）−Ｎ，Ｎ′−二酢酸、エチレンジアミン−Ｎ，Ｎ′−二酢酸−Ｎ，Ｎ′−ジ（メチレンホスホン酸）、１，２，３−トリアミノプロパン−Ｎ，Ｎ，Ｎ′，Ｎ′，Ｎ″，Ｎ″−六酢酸すなわちＴＡＰＨＡ、ニトリロトリ（メチレンホスホン酸）、エチレンジアミン−Ｎ，Ｎ′−ジ（メチレンホスフィン酸）すなわちＥＤＤＰＩ、エチレンジアミン−Ｎ，Ｎ′−ジ（メチレンホスホン酸）すなわちＥＤＤＰＯ、エチレンジアミン−Ｎ，Ｎ，Ｎ′，Ｎ′−テトラ（メチレンホスフィン酸）すなわちＥＤＴＰＩ、エチレンジアミン−Ｎ，Ｎ，Ｎ′，Ｎ′−テトラ（メチレンホスホン酸）すなわちＥＤＴＰＯ、シクロヘキサン−１，２−ジアミン−Ｎ，Ｎ，Ｎ′，Ｎ′−テトラ（メチレンホスホン酸）、Ｎ，Ｎ′−ビス（２−ヒドロキシベンジル）エチレンジアミン−Ｎ，Ｎ′−ビス（メチレンホスホン酸）、３−（ジフェニルホスフィン）プロピオン酸、３−（ジフェニルアルシン）プロピオン酸、Ａｓ−フェニルアルシン二酢酸およびＡｓ−（ｐ−クロロフェニル）アルシンジプロピオン酸のようなポリアミノポリカルボン酸を、おのおの一種類だけに限定して、または二種類以上を任意に組み合わせて、加え、これに水酸化カリウム、水酸化ナトリウム、水酸化リチウム、水酸化セシウム、水酸化ルビジウム、水酸化フランシウム、水酸化バリウム、水酸化ラジウム、水酸化タリウム（Ｉ）のような水酸化物またはテトラエチルアンモニウムヒドロキシド、テトラメチルアンモニウムヒドロキシド、テトラブチルアンモニウムヒドロキシド、テトラプロピルアンモニウムヒドロキシドのような水酸化テトラアルキルアンモニウムと、これに必要に応じてトリエチルアミン、トリメチルアミン、トリブチルアミン、トリプロピルアミン、トリエタノールアミン、エチレンジアミン、ジエチレントリアミン、トリエチレンテトラミンといったアミンを、水溶液全体がアルカリ性を呈するようになるまで添加した混合溶液に、これもまた必要に応じて、ホウ酸を前記記載の混合溶液全体がアルカリ性を維持していられるまでの範囲内の量を溶解するか、あるいはホウ酸カリウム、ホウ酸ナトリウム、ホウ酸リチウム、ホウ酸セシウム、ホウ酸ルビジウム、ホウ酸フランシウム、ホウ酸ラジウム、ホウ酸バリウム、ホウ酸ストロンチウム、ホウ酸タリウム（Ｉ）、ホウ酸タリウム（ＩＩＩ）などのホウ酸の金属塩、テトラエチルアンモニウムボーレイト、テトラメチルアンモニウムボーレイト、テトラブチルアンモニウムボーレイト、テトラプロピルアンモニウムボーレイトなどのホウ酸テトラアルキルアンモニウム、またはトリエチルアミンホウ酸塩、トリメチルアミンホウ酸塩、トリブチルアミンホウ酸塩、トリプロピルアミンホウ酸塩、トリエタノールアミンホウ酸塩、エチレンジアミンホウ酸塩、ジエチレ��トリアミンホウ酸塩、トリエチレンテトラミンホウ酸塩といったアミンホウ酸塩を溶解し、これにさらに必要に応じて、シクロデキストリンといった多糖、またはスクロース、マルトース、ラクトース、キシロビオース、α，α−トレハロース、α，β−トレハロース、β，β−トレハロース、メリビオース、マルツロース、α−ラクツロース、β−ラクツロース、α−ラミナリビオース、β−ラミナリビオース、イソマルトース、ゲンチオビオース、セロビオース、といった二糖、もしくはＤ−グルコース、Ｌ−グルコース、α−Ｄ−グルコピラノース、β−Ｄ−グルコピラノース、α−Ｌ−グルコピラノース、β−Ｌ−グルコピラノース、Ｄ−フルクトース、Ｌ−フルクトース、β−Ｄ−フルクトピラノース、α−Ｄ−フルクトピラノース、α−Ｌ−フルクトピラノース、β−Ｌ−フルクトピラノース、Ｄ−マンノース、α−Ｄ−マンノピラノース、β−Ｄ−マンノピラノース、Ｌ−マンノース、α−Ｌ−マンノピラノース、β−Ｌ−マンノピラノース、Ｄ−ガラクトース、Ｌ−ガラクトース、α−Ｄ−ガラクトピラノース、β−Ｄ−ガラクトピラノース、α−Ｌ−ガラクトピラノース、β−Ｌ−ガラクトピラノース、Ｄ−タロース、Ｌ−タロース、α−Ｄ−タロピラノース、β−Ｄ−タロピラノース、α−Ｌ−タロピラノース、β−Ｌ−タロピラノース、Ｄ−アロース、Ｌ−アロース、α−Ｄ−アロピラノース、β−Ｄ−アロピラノース、α−Ｌ−アロピラノース、β−Ｌ−アロピラノース、Ｄ−アルトロース、Ｌ−アルトロース、α−Ｄ−アルトロピラノース、β−Ｄ−アルトロピラノース、α−Ｌ−アルトロピラノース、β−Ｌ−アルトロピラノース、Ｄ−イドース、Ｌ−イドース、α−Ｄ−イドピラノース、β−Ｄ−イドピラノース、α−Ｌ−イドピラノース、β−Ｌ−イドピラノース、Ｄ−グロース、Ｌ−グロース、α−Ｄ−グロピラノース、β−Ｄ−グロピラノース、α−Ｌ−グロピラノース、β−Ｌ−グロピラノース、Ｄ−グリセルアルデヒド、Ｌ−グリセルアルデヒド、Ｄ−エリトルロース、Ｌ−エリトルロース、Ｄ−エリトロース、Ｌ−エリトロース、α−Ｄ−エリトロフラノース、β−Ｄ−エリトロフラノース、α−Ｌ−エリトロフラノース、β−Ｌ−エリトロフラノース、α−Ｄ−エリトロピラノース、β−Ｄ−エリトロピラノース、α−Ｌ−エリトロピラノース、β−Ｌ−エリトロピラノース、Ｄ−トレオース、Ｌ−トレオース、α−Ｄ−トレオフラノース、β−Ｄ−トレオフラノース、α−Ｌ−トレオフラノース、β−Ｌ−トレオフラノース、α−Ｄ−トレオピラノース、β−Ｄ−トレオピラノース、α−Ｌ−トレオピラノース、β−Ｌ−トレオピラノース、Ｄ−アラビノース、Ｌ−アラビノース、α−Ｄ−アラビノピラノース、β−Ｄ−アラビノピラノース、α−Ｌ−アラビノピラノース、β−Ｌ−アラビノピラノース、Ｄ−リボース、Ｌ−リボース、α−Ｄ−リボフラノース、β−Ｄ−リボフラノース、α−Ｌ−リボフラノース、β−Ｌ−リボフラノース、α−Ｄ−リボピラノース、β−Ｄ−リボピラノース、α−Ｌ−リボピラノース、β−Ｌ−リボピラノース、Ｄ−リブロース、Ｌ−リブロース、α−Ｄ−リブロフラノース、β−Ｄ−リブロフラノース、α−Ｌ−リブロフラノース、β−Ｌ−リブロフラノース、α−Ｄ−リブロピラノース、β−Ｄ−リ���ロピラノース、α−Ｌ−リブロピラノース、β−Ｌ−リブロピラノース、Ｄ−キシロース、Ｌ−キシロース、α−Ｄ−キシロピラノース、β−Ｄ−キシロピラノース、α−Ｌ−キシロピラノース、β−Ｌ−キシロピラノース、Ｄ−リキソース、Ｌ−リキソース、α−Ｄ−リキソピラノース、β−Ｄ−リキソピラノース、α−Ｌ−リキソピラノース、β−Ｌ−リキソピラノース、Ｄ−タガトース、Ｌ−タガトース、Ｄ−タガトピラノース、Ｌ−タガトピラノース、Ｄ−プシコース、Ｌ−プシコース、α−Ｄ−プシコピラノース、β−Ｄ−プシコピラノース、α−Ｌ−プシコピラノース、β−Ｌ−プシコピラノースといった単糖、あるいはＤ−グルコサミン、Ｌ−グルコサミン、２−アミノ−２−デオキシ−Ｄ−グルコピラノース、２−アミノ−２−デオキシ−Ｌ−グルコピラノースといったアミノ糖、はたまたキシリトール、Ｄ−アラビトール、Ｌ−アラビトール、α−Ｄ−フコース、β−Ｄ−フコース、α−Ｌ−フコース、β−Ｌ−フコース、Ｄ−セドヘプツロース、Ｌ−セドヘプツロース、α−Ｄ−セドヘプツロピラノース、β−Ｄ−セドヘプツロピラノース、α−Ｌ−セドヘプツロピラノース、β−Ｌ−セドヘプツロピラノース、スタキオース、ラフィノース、マルトトリオース、アガロビオース、ネオアガロビオース、アガロースといったその他の糖を、オルトホウ酸、メタホウ酸、四ホウ酸、ホウ酸、メタホウ酸ＩＩＩ、メタホウ酸ＩＩ、メタホウ酸Ｉ、五ホウ酸、六ホウ酸、八ホウ酸、二ホウ酸などのホウ酸または次ホウ酸を溶解した、あるいは、ホウ酸カリウム、ホウ酸ナトリウム、ホウ酸セシウム、ホウ酸ルビジウム、ホウ酸リチウム、ホウ酸フランシウムといった水和物ではないホウ酸の金属塩またはホウ酸カリウムｎ水和物（ｎは０を超える実数）、ホウ酸ナトリウムｎ水和物（ｎは０を超える実数）、ホウ酸セシウムｎ水和物（ｎは０を超える実数）、ホウ酸ルビジウムｎ水和物（ｎは０を超える実数）、ホウ酸リチウムｎ水和物（ｎは０を超える実数）、ホウ酸フランシウムｎ水和物（ｎは０を超える実数）といったホウ酸の金属塩の水和物もしくはオルトホウ酸カリウム、オルトホウ酸ナトリウム、オルトホウ酸セシウム、オルトホウ酸ルビジウム、オルトホウ酸リチウム、オルトホウ酸フランシウムといった水和物ではないオルトホウ酸の金属塩またはオルトホウ酸カリウムｎ水和物（ｎは０を超える実数）、オルトホウ酸ナトリウムｎ水和物（ｎは０を超える実数）、オルトホウ酸セシウムｎ水和物（ｎは０を超える実数）、オルトホウ酸ルビジウムｎ水和物（ｎは０を超える実数）、オルトホウ酸リチウムｎ水和物（ｎは０を超える実数）、オルトホウ酸フランシウムｎ水和物（ｎは０を超える実数）といったオルトホウ酸の金属塩の水和物ないしメタホウ酸カリウム、メタホウ酸ナトリウム、メタホウ酸セシウム、メタホウ酸ルビジウム、メタホウ酸リチウム、メタホウ酸フランシウムといった水和物ではないメタホウ酸の金属塩またはメタホウ酸カリウムｎ水和物（ｎは０を超える実数）、メタホウ酸ナトリウム四水和物、メタホウ酸セシウムｎ水和物（ｎは０を超える実数）、メタホウ酸ルビジウムｎ水和物（ｎは０を超える実数）、メタホウ酸リチウムｎ水和物（ｎは０を超える実数）、メタホウ酸フラン��ウムｎ水和物（ｎは０を超える実数）といったメタホウ酸の金属塩の水和物かつまた四ホウ酸カリウム、四ホウ酸ナトリウム、四ホウ酸セシウム、四ホウ酸ルビジウム、四ホウ酸リチウム、四ホウ酸フランシウム、四ホウ酸カルシウム、四ホウ酸ストロンチウムといった水和物ではない四ホウ酸の金属塩または四ホウ酸カリウムｎ水和物（ｎは０を超える実数）、四ホウ酸ナトリウムｎ水和物（ｎは０を超える実数）、四ホウ酸セシウムｎ水和物（ｎは０を超える実数）、四ホウ酸ルビジウムｎ水和物（ｎは０を超える実数）、四ホウ酸リチウムｎ水和物（ｎは０を超える実数）、四ホウ酸フランシウムｎ水和物（ｎは０を超える実数）、四ホウ酸カルシウムｎ水和物（ｎは０を超える実数）、四ホウ酸ストロンチウムｎ水和物（ｎは０を超える実数）といった四ホウ酸の金属塩の水和物はたまた次ホウ酸カリウム、次ホウ酸ナトリウム、次ホウ酸セシウム、次ホウ酸ルビジウム、次ホウ酸リチウム、次ホウ酸フランシウム、次ホウ酸マグネシウム、次ホウ酸バリウムといった水和物ではない次ホウ酸の金属塩または次ホウ酸カリウムｎ水和物（ｎは０を超える実数）、次ホウ酸ナトリウムｎ水和物（ｎは０を超える実数）、次ホウ酸セシウムｎ水和物（ｎは０を超える実数）、次ホウ酸ルビジウムｎ水和物（ｎは０を超える実数）、次ホウ酸リチウムｎ水和物（ｎは０を超える実数）、次ホウ酸フランシウムｎ水和物（ｎは０を超える実数）、次ホウ酸マグネシウムｎ水和物（ｎは０を超える実数）、次ホウ酸バリウムｎ水和物（ｎは０を超える実数）といった次ホウ酸の金属塩の水和物、あるいは、五ホウ酸ナトリウムまたは五ホウ酸ナトリウム水和物（ｎは０を超える実数）、あるいは、六ホウ酸ナトリウムまたは六ホウ酸ナトリウム水和物（ｎは０を超える実数）、あるいは、八ホウ酸ナトリウムまたは八ホウ酸ナトリウム水和物（ｎは０を超える実数）、あるいは二ホウ酸ナトリウムまたは二ホウ酸ナトリウム水和物（ｎは０を超える実数）、あるいはテトラエチルアンモニウムボーレイト、テトラメチルアンモニウムボーレイト、テトラブチルアンモニウムボーレイト、テトラプロピルアンモニウムボーレイトといった水和物ではないホウ酸テトラアルキルアンモニウムまたはテトラエチルアンモニウムボーレイトｎ水和物（ｎは０を超える実数）、テトラメチルアンモニウムボーレイトｎ水和物（ｎは０を超える実数）、テトラブチルアンモニウムボーレイトｎ水和物（ｎは０を超える実数）、テトラプロピルアンモニウムボーレイトｎ水和物（ｎは０を超える実数）といったホウ酸テトラアルキルアンモニウムの水和物もしくはテトラエチルアンモニウムオルトボーレイト、テトラメチルアンモニウムオルトボーレイト、テトラブチルアンモニウムオルトボーレイト、テトラプロピルアンモニウムオルトボーレイトといった水和物ではないオルトホウ酸テトラアルキルアンモニウムないしテトラエチルアンモニウムオルトボーレイトｎ水和物（ｎは０を超える実数）、テトラメチルアンモニウムオルトボーレイトｎ水和物（ｎは０を超える実数）、テトラブチルアンモニウムオルトボーレイトｎ水和物（ｎは０を超える実数）、テトラプロピルアンモニウムオルトボーレイトｎ水和物（ｎは０を超える実数）といっ��オルトホウ酸テトラアルキルアンモニウムの水和物かつまたテトラエチルアンモニウムメタボーレイト、テトラメチルアンモニウムメタボーレイト、テトラブチルアンモニウムメタボーレイト、テトラプロピルアンモニウムメタボーレイトといった水和物ではないメタホウ酸テトラアルキルアンモニウムまたはテトラエチルアンモニウムメタボーレイトｎ水和物（ｎは０を超える実数）、テトラメチルアンモニウムメタボーレイトｎ水和物（ｎは０を超える実数）、テトラブチルアンモニウムメタボーレイトｎ水和物（ｎは０を超える実数）、テトラプロピルアンモニウムメタボーレイトｎ水和物（ｎは０を超える実数）といったメタホウ酸テトラアルキルアンモニウムの水和物、あるいはトリエチルアミンホウ酸塩、トリブチルアミンホウ酸塩、トリメチルアミンホウ酸塩、トリプロピルアミンホウ酸塩、トリエタノールアミンホウ酸塩、エチレンジアミンホウ酸塩、ジエチレントリアミンホウ酸塩、トリエチレンテトラミンホウ酸塩のような水和物ではないアミンホウ酸塩またはトリエチルアミンホウ酸塩ｎ水和物（ｎは０を超える実数）、トリブチルアミンホウ酸塩ｎ水和物（ｎは０を超える実数）、トリメチルアミンホウ酸塩ｎ水和物（ｎは０を超える実数）、トリプロピルアミンホウ酸塩ｎ水和物（ｎは０を超える実数）、トリエタノールアミンホウ酸塩ｎ水和物（ｎは０を超える実数）、エチレンジアミンホウ酸塩ｎ水和物（ｎは０を超える実数）、ジエチレントリアミンホウ酸塩ｎ水和物（ｎは０を超える実数）、トリエチレンテトラミンホウ酸塩ｎ水和物（ｎは０を超える実数）のようなアミンホウ酸塩の水和物もしくはトリエチルアミンオルトホウ酸塩、トリブチルアミンオルトホウ酸塩、トリメチルアミンオルトホウ酸塩、トリプロピルアミンオルトホウ酸塩、トリエタノールアミンオルトホウ酸塩、エチレンジアミンオルトホウ酸塩、ジエチレントリアミンオルトホウ酸塩、トリエチレンテトラミンオルトホウ酸塩のような水和物ではないアミンオルトホウ酸塩ないしトリエチルアミンオルトホウ酸塩ｎ水和物（ｎは０を超える実数）、トリブチルアミンオルトホウ酸塩ｎ水和物（ｎは０を超える実数）、トリメチルアミンオルトホウ酸塩ｎ水和物（ｎは０を超える実数）、トリプロピルアミンオルトホウ酸塩ｎ水和物（ｎは０を超える実数）、トリエタノールアミンオルトホウ酸塩ｎ水和物（ｎは０を超える実数）、エチレンジアミンオルトホウ酸塩ｎ水和物（ｎは０を超える実数）、ジエチレントリアミンオルトホウ酸塩ｎ水和物（ｎは０を超える実数）、トリエチレンテトラミンオルトホウ酸塩ｎ水和物（ｎは０を超える実数）のようなアミンオルトホウ酸塩の水和物かつまたトリエチルアミンメタホウ酸塩、トリブチルアミンメタホウ酸塩、トリメチルアミンメタホウ酸塩、トリプロピルアミンメタホウ酸塩、トリエタノールアミンメタホウ酸塩、エチレンジアミンメタホウ酸塩、ジエチレントリアミンメタホウ酸塩、トリエチレンテトラミンメタホウ酸塩のような水和物ではないアミンメタホウ酸塩はたまたトリエチルアミンメタホウ酸塩ｎ水和物（ｎは０を超える実数）、トリブチルアミンメタホウ酸塩ｎ水和物（ｎは０を超える実数）、トリメチルアミンメタホウ酸塩ｎ水和物（ｎは０を超え��実数）、トリプロピルアミンメタホウ酸塩ｎ水和物（ｎは０を超える実数）、トリエタノールアミンメタホウ酸塩ｎ水和物（ｎは０を超える実数）、エチレンジアミンメタホウ酸塩ｎ水和物（ｎは０を超える実数）、ジエチレントリアミンメタホウ酸塩ｎ水和物（ｎは０を超える実数）、トリエチレンテトラミンメタホウ酸塩ｎ水和物（ｎは０を超える実数）のようなアミンメタホウ酸塩の水和物を溶解した、前記記載の混合溶液全体が、アルカリ性を維持していられるまでの範囲内の量を溶かした、アルカリ性の混合溶液に、セメント、セメントペースト、レイタンス、石綿、廃モルタル微粉末、廃スレート微粉末および廃コンクリート微粉末を溶解することを目的とする場合にあっては、亜二チオン酸ナトリウム、亜二チオン酸カリウム、亜二チオン酸リチウム、亜二チオン酸セシウム、亜二チオン酸ルビジウム、亜二チオン酸タリウム（Ｉ）、亜二チオン酸タリウム（ＩＩＩ）、亜二チオン酸ガリウム、亜二チオン酸スズ（ＩＩ）、亜二チオン酸亜鉛、亜二チオン酸カルシウム、亜二チオン酸ストロンチウム、亜二チオン酸バリウム、亜二チオン酸ラジウム、亜二チオン酸フランシウム、亜二チオン酸マグネシウム、亜二チオン酸ベリリウム、亜二チオン酸アルミニウム、亜二チオン酸スカンジウム、亜二チオン酸イットリウム、亜二チオン酸ランタン、亜二チオン酸セリウム、亜二チオン酸プラセオジム、亜二チオン酸ネオジム、亜二チオン酸プロメチウム、亜二チオン酸サマリウム、亜二チオン酸ユウロビウム、亜二チオン酸ガドリニウム、亜二チオン酸テルビウム、亜二チオン酸ジスプロシウム、亜二チオン酸ホルミウム、亜二チオン酸エルビウム、亜二チオン酸ツリウム、亜二チオン酸イッテルビウム、亜二チオン酸ルテチウムのような水和物ではない亜二チオン酸の金属塩、または亜二チオン酸ナトリウム二水和物、亜二チオン酸カリウムｎ水和物（ｎは０を超える実数）、亜二チオン酸リチウムｎ水和物（ｎは０を超える実数）、亜二チオン酸セシウムｎ水和物（ｎは０を超える実数）、亜二チオン酸ルビジウムｎ水和物（ｎは０を超える実数）、亜二チオン酸タリウム（Ｉ）ｎ水和物（ｎは０を超える実数）、亜二チオン酸タリウム（ＩＩＩ）ｎ水和物（ｎは０を超える実数）、亜二チオン酸ガリウムｎ水和物（ｎは０を超える実数）、亜二チオン酸スズ（ＩＩ）ｎ水和物（ｎは０を超える実数）、亜二チオン酸亜鉛ｎ水和物（ｎは０を超える実数）、亜二チオン酸カルシウムｎ水和物（ｎは０を超える実数）、亜二チオン酸ストロンチウムｎ水和物（ｎは０を超える実数）、亜二チオン酸バリウムｎ水和物（ｎは０を超える実数）、亜二チオン酸ラジウムｎ水和物（ｎは０を超える実数）、亜二チオン酸フランシウムｎ水和物（ｎは０を超える実数）、亜二チオン酸マグネシウムｎ水和物（ｎは０を超える実数）、亜二チオン酸ベリリウムｎ水和物（ｎは０を超える実数）、亜二チオン酸アルミニウムｎ水和物（ｎは０を超える実数）、亜二チオン酸スカンジウムｎ水和物（ｎは０を超える実数）、亜二チオン酸イットリウムｎ水和物（ｎは０を超える実数）、亜二チオン酸ランタンｎ水和物（ｎは０を超える実数）、亜二チオン酸セリウムｎ水和物（ｎは０を超える実数）、亜二チオン酸プラセオジムｎ水��物（ｎは０を超える実数）、亜二チオン酸ネオジムｎ水和物（ｎは０を超える実数）、亜二チオン酸プロメチウムｎ水和物（ｎは０を超える実数）、亜二チオン酸サマリウムｎ水和物（ｎは０を超える実数）、亜二チオン酸ユウロビウムｎ水和物（ｎは０を超える実数）、亜二チオン酸ガドリニウムｎ水和物（ｎは０を超える実数）、亜二チオン酸テルビウムｎ水和物（ｎは０を超える実数）、亜二チオン酸ジスプロシウムｎ水和物（ｎは０を超える実数）、亜二チオン酸ホルミウムｎ水和物（ｎは０を超える実数）、亜二チオン酸エルビウムｎ水和物（ｎは０を超える実数）、亜二チオン酸ツリウムｎ水和物（ｎは０を超える実数）、亜二チオン酸イッテルビウムｎ水和物（ｎは０を超える実数）、亜二チオン酸ルテチウムｎ水和物（ｎは０を超える実数）といった亜二チオン酸の金属塩の水和物、もしくはテトラエチルアンモニウムジチオナイト、テトラメチルアンモニウムジチオナイト、テトラブチルアンモニウムジチオナイト、テトラプロピルアンモニウムジチオナイトのような亜二チオン酸テトラアルキルアンモニウム、ないしトリエチルアミン亜二チオン酸塩、トリブチルアミン亜二チオン酸塩、トリメチルアミン亜二チオン酸塩、トリプロピルアミン亜二チオン酸塩、トリエタノールアミン亜二チオン酸塩、エチレンジアミン亜二チオン酸塩、ジエチレントリアミン亜二チオン酸塩、トリエチレンテトラミン亜二チオン酸塩のようなアミン亜二チオン酸塩、あるいはテトラエチルアンモニウムジチオナイトｎ水和物（ｎは０を超える実数）、テトラメチルアンモニウムジチオナイトｎ水和物（ｎは０を超える実数）、テトラブチルアンモニウムジチオナイトｎ水和物（ｎは０を超える実数）、テトラプロピルアンモニウムジチオナイトｎ水和物（ｎは０を超える実数）のような亜二チオン酸テトラアルキルアンモニウムの水和物かつまたトリエチルアミン亜二チオン酸塩ｎ水和物（ｎは０を超える実数）、トリブチルアミン亜二チオン酸塩ｎ水和物（ｎは０を超える実数）、トリメチルアミン亜二チオン酸塩ｎ水和物（ｎは０を超える実数）、トリプロピルアミン亜二チオン酸塩ｎ水和物（ｎは０を超える実数）、トリエタノールアミン亜二チオン酸塩ｎ水和物（ｎは０を超える実数）、エチレンジアミン亜二チオン酸塩ｎ水和物（ｎは０を超える実数）、ジエチレントリアミン亜二チオン酸塩ｎ水和物（ｎは０を超える実数）、トリエチレンテトラミン亜二チオン酸塩ｎ水和物（ｎは０を超える実数）のようなアミン亜二チオン酸塩の水和物を加えて、沈殿物および浮遊物のない透明な溶液とした後に、ケイ酸ナトリウム溶液すなわち水ガラス、ケイ酸カリウム溶液、ケイ酸リチウム溶液、ケイ酸セシウム溶液、ケイ酸ルビジウム溶液、ケイ酸タリウム（Ｉ）溶液、ケイ酸タリウム（ＩＩＩ）溶液といったケイ酸の金属塩の粘性溶液、あるいはテトラエチルアンモニウムシリケイト、テトラメチルアンモニウムシリケイト、テトラブチルアンモニウムシリケイト、テトラプロピルアンモニウムシリケイトといったケイ酸テトラアルキルアンモニウムまたはテトラエチルアンモニウムメタシリケイト、テトラメチルアンモニウムメタシリケイト、テトラブチルアンモニウムメタシリケイト、テトラプロピルアンモニウ��メタシリケイトといったメタケイ酸テトラアルキルアンモニウムもしくはテトラエチルアンモニウムオルトシリケイト、テトラメチルアンモニウムオルトシリケイト、テトラブチルアンモニウムオルトシリケイト、テトラプロピルアンモニウムオルトシリケイトといったオルトケイ酸テトラアルキルアンモニウムないしテトラエチルアンモニウムメソシリケイト、テトラメチルアンモニウムメソシリケイト、テトラブチルアンモニウムメソシリケイト、テトラプロピルアンモニウムメソシリケイトといったメソケイ酸テトラアルキルアンモニウムかつまたテトラエチルアンモニウムパラシリケイト、テトラメチルアンモニウムパラシリケイト、テトラブチルアンモニウムパラシリケイト、テトラプロピルアンモニウムパラシリケイトといったパラケイ酸テトラアルキルアンモニウム、あるいはトリエチルアミンケイ酸塩、トリメチルアミンケイ酸塩、トリブチルアミンケイ酸塩、トリプロピルアミンケイ酸塩、トリエタノールアミンケイ酸塩、エチレンジアミンケイ酸塩、ジエチレントリアミンケイ酸塩、トリエチレンテトラミンケイ酸塩といったアミンケイ酸塩またはトリエチルアミンメタケイ酸塩、トリメチルアミンメタケイ酸塩、トリブチルアミンメタケイ酸塩、トリプロピルアミンメタケイ酸塩、トリエタノールアミンメタケイ酸塩、エチレンジアミンメタケイ酸塩、ジエチレントリアミンメタケイ酸塩、トリエチレンテトラミンメタケイ酸塩といったアミンメタケイ酸塩もしくはトリエチルアミンオルトケイ酸塩、トリメチルアミンオルトケイ酸塩、トリブチルアミンオルトケイ酸塩、トリプロピルアミンオルトケイ酸塩、トリエタノールアミンオルトケイ酸塩、エチレンジアミンオルトケイ酸塩、ジエチレントリアミンオルトケイ酸塩、トリエチレンテトラミンオルトケイ酸塩といったアミンオルトケイ酸塩ないしトリエチルアミンメソケイ酸塩、トリメチルアミンメソケイ酸塩、トリブチルアミンメソケイ酸塩、トリプロピルアミンメソケイ酸塩、トリエタノールアミンメソケイ酸塩、エチレンジアミンメソケイ酸塩、ジエチレントリアミンメソケイ酸塩、トリエチレンテトラミンメソケイ酸塩といったアミンメソケイ酸塩かつまたトリエチルアミンパラケイ酸塩、トリメチルアミンパラケイ酸塩、トリブチルアミンパラケイ酸塩、トリプロピルアミンパラケイ酸塩、トリエタノールアミンパラケイ酸塩、エチレンジアミンパラケイ酸塩、ジエチレントリアミンパラケイ酸塩、トリエチレンテトラミンパラケイ酸塩といったアミンパラケイ酸塩を、添加し均一に混和させて溶液全体が透明かつアルカリ性になるように溶解した、セメント・セメントペースト・レイタンス・石綿・擬花・廃モルタル微粉末・廃スレート微粉末および廃コンクリート微粉末の溶剤。
【請求項２】
亜硝酸または亜硝酸水に、水、またはエタノール、メタノール、１−プロパノール、２−プロパノール、１−ブタノール、２−ブタノール、２−メチル−２−プロパノール、エチレングリコールといったアルコールを、加え、これにアミド硫酸を添加して完全に溶解した溶液は、アルミサッシなどのアルマイトはもちろん、純アルミニウムすなわち純粋なアルミニウムをも腐食および溶解せずに、アルミニウム製品に付着した、コンクリートまたはモルタル中のセメント分、およびセメントペースト、ならびにレイタンス、なおかつ擬花を、溶解して剥離する作用があり、それを特徴とする、セメント・セメントペースト・レイタンスおよび擬花の溶剤。
【発明の詳細な説明】
【０００１】
【発明の属する技術分野】
本発明は、建築工事、土木工事、左官工事、タイル工事、美装および内外装工事、内外壁等補修作業、内外壁洗浄作業、アルミニウム製品洗浄作業、室内および屋外における配管工事、電気工事、冷暖房機器設置工事、アルミニウム製品またはアルミニウムが付属した他の製品の製造作業、セメント・セメントペーストまたはコンクリートもしくはモルタルあるいはスレートといったセメント製品製造作業、建築学研究作業、建築材料学研究作業、土木材料学研究作業、土木工学研究作業、建設工学研究作業、建設学研究作業、建築設計作業および土木設計作業ならびにその他すべての設計作業、環境都市工学研究作業、建築都市デザイン学研究作業、環境地球工学研究作業、知能情報システム工学研究作業、環境システム工学研究作業、環境デザイン工学研究作業、社会システム工学研究作業、生産工学研究作業、建築工学研究作業、環境建設工学研究作業、工学システム量子工学研究作業、社会基盤工学研究作業、開発システム工学研究作業、都市システム工学研究作業、人間環境学研究作業、無機材料工学研究作業、構造工学研究作業、機能工学研究作業、構造材料学研究作業、環境構造材料学研究作業、環境構造材料工学研究作業、材料学研究作業、環境材料学研究作業、極限環境材料学研究作業、無機材質研究作業、鉱物学研究作業、コンクリート工学研究作業、新領域創成科学研究作業、廃棄物処理工学研究作業、セメント化学研究作業およびその他すべての化学研究作業、化学分析作業、すべての物理学研究作業、すべての医学研究作業および法医学研究作業ならびに歯学研究作業、すべての生物学研究作業、すべての地学研究作業および地質学研究作業、天文学研究作業、考古学研究作業、農作業、農学研究作業、薬学および製薬学研究作業、またはセメント、セメントペースト、モルタル、コンクリート、石綿を廃棄物とした廃棄物処理作業において、建築工事により建築した建築物・構造物または土木工事により建設した建造物・構造物・築造物もしくはアルミニウム製品ないしプラスチック製品あるいはセメント製品かつまた木材はたまたセラミック製品などの表面に付着した、のろ、あま、とろ、セメント液またはセメント糊とも呼んでいるセメントペースト、あるいはレイタンス、ないし擬花を溶解して除去する際に使用するか、はたまた廃棄物としての、石綿すなわちアスベスト、セメント、セメントペースト、モルタル、コンクリートおよびスレートを、石綿以外の、骨材および混和材を取り除いた後に、さらに微粉末になるまで粉砕してできた粉体を溶解することにより、廃棄物処理する際に使用するものである。
【０００２】
【従来の技術】
これまでの土木工事により建設した建造物・構造物・築造物および建築工事により建築した建築物・構造物の、基礎・階段・天井・床面・床板・内外壁・柱・梁・屋上・屋根・石材・れんが・瓦・タイル・サッシ・ドア・シャッター・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などの表面に付着したセメントペーストまたはレイタンスもしくは擬花の除去作業においては、外見上エフロレッセンスと見分けがつかない場合、やむなく酸性を呈する液体、溶液または気体を用いて溶解除去する方法と、サンドペーパー、ワイヤーブラシ、ディスクサンダーすなわちジスクサンダー等の電動工具、による物理的に除去する方法の二通りの除去方法があった。
【０００３】
また、基礎・階段・天井・床面・床板・内外壁・柱・梁・屋上・屋根・石材・れんが・瓦・タイル・サッシ・ドア・シャッター・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などの表面に付着したセメントペーストまたはレイタンスの除去作業において、外見上エフロレッセンスとは明らかに異なるものであると判然と見分けがつく場合には、現状維持のまま除去を施さないか、あるいはサンドペーパー、ワイヤーブラシ、ディスクサンダーすなわちジスクサンダー等の電動工具、による物理的に除去する方法の一通りの除去方法しかなかった。
【０００４】
アルミニウム製品、特にアルミニウム製サッシの表面に付着したセメントペーストまたはモルタルもしくはコンクリートの除去作業についても、前記、０００３記載の、除去方法と同様、サンドペーパー、ワイヤーブラシ、ディスクサンダーすなわちジスクサンダー等の電動工具による物理的除去方法の一通りしかなかった。
【０００５】
廃棄物としての、セメント、セメントペースト、モルタルおよびコンクリートの処理方法は、まず粉砕により骨材および混和材を除去後、酸性を呈する液体、溶液または気体を用いて中和し、そのまま溶解処理する方法と、酸性物質による中和後、乾燥固化して土壌により地中に埋設処分する方法の二通りがあった。また、廃棄物としての石綿およびスレートの処理方法は、土壌により地中に埋設処分する方法の一通りしかなかった。
【０００６】
【発明が解決しようとする課題】
これまでの土木工事により建設した建造物・構造物・築造物および建築工事により建築した建築物・構造物の、基礎・階段・天井・床面・床板・内外壁・柱・梁・屋上・屋根・石材・れんが・瓦・タイル・サッシ・ドア・シャッター・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などの表面に付着したセメントペーストまたはレイタンスの除去作業については、外見上エフロレッセンスと見分けがつかない場合であるからといって、やむなく酸性を呈する液体、溶液または気体を用いて溶解除去する方法では、セメントペーストおよびレイタンスは明らかに、基礎・階段・天井・床面・床板・内外壁・柱・梁・屋上・屋根・ドア・カーテンウォール・ます・ロックシェッド・スノーシェッド・矢板・側溝・ふた・境界ブロック・境界標杭・標示杭・暗きょ・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などがセメントを原材料としたモルタル造またはコンクリート造の場合には、付着物質であるセメントペーストおよびレイタンスと被付着構造物である基礎・階段・天井・床面・床板・内外壁・柱・梁・屋上・屋根・ドア・カーテンウォール・ます・ロックシェッド・スノーシェッド・矢板・側溝・ふた・境界ブロック・境界標杭・標示杭・暗きょ・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などとが同質かつ同成分であるから、当然にして酸性を呈する液体、溶液または気体を用いれば、セメントペーストまたはレイタンスだけに限らず、セメントを原材料としたモルタル造またはコンクリート造の基礎・階段・天井・床面・床板・内外壁・柱・梁・屋上・屋根・ドア・カーテンウォール・ます・ロックシェッド・スノーシェッド・矢板・側溝・ふた・境界ブロック・境界標杭・標示杭・暗きょ・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などまで腐食および溶解による劣化を被ることは自明の理である。したがって、この方法では、フッ化水素またはその他のフッ化物を含まない酸には不溶なセメント成分すなわち酸化アルミニウムおよび二酸化ケイ素、場合によっては、二酸化ケイ素だけが、白色に染まって溶け残るばかりか、築造物・建造物・建築および土木構造物・建築物のセメント製品強度および耐久性ならびに外観に憂慮するならば、基礎・階段・天井・床面・床板・内外壁・柱・梁・屋上・屋根・ドア・カーテンウォール・ます・ロックシェッド・スノーシェッド・矢板・側溝・ふた・境界ブロック・境界標杭・標示杭・暗きょ・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などが腐食および溶解を被り、ひいては長期間のうちに次第に外観がボロボロになり、モルタルまたはコンクリートもしくはスレートといったセメント製品の強度が著しく減退する、という問題点があった。
また、フッ化水素またはその他のフッ化物のみ、あるいはフッ化水素またはその他のフッ化物を含有した酸には、酸化アルミニウムおよび二酸化ケイ素を溶解することはできるが、逆に、フッ化水素またはその他のフッ化物を含まない酸に溶解していたセメント成分すなわち酸化カルシウムと反応して、雨水および地下水ならびに水道水などの水に不溶なフッ化カルシウムという物質を新たに析出してしまい、これもまた白色に染まって溶け残るばかりか、築造物・建造物・建築および土木構造物・建築物のセメント製品強度および耐久性ならびに外観に憂慮するならば、基礎・階段・天井・床面・床板・内外壁・柱・梁・屋上・屋根・ドア・カーテンウォール・ます・ロックシェッド・スノーシェッド・矢板・側溝・ふた・境界ブロック・境界標杭・標示杭・暗きょ・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などが腐食および溶解を被り、ひいては長期間のうちに次第に外観がボロボロになり、モルタルまたはコンクリートもしくはスレートといったセメント製品の強度が著しく減退する、という問題点があった。
【０００７】
外見上エフロレッセンスと見分けがつく、つかないにかかわらず、利用される物理的除去方法では、たとえ基礎・階段・天井・床面・床板・内外壁・柱・梁・屋上・屋根・石材・れんが・瓦・タイル・サッシ・ドア・シャッター・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などの表面に付着したセメントペーストまたはレイタンスを除去できたにしても、基礎・階段・天井・床面・床板・内外壁・柱・梁・屋上・屋根・石材・れんが・瓦・タイル・サッシ・ドア・シャッター・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などの表面をも一緒に削り取り、ひいてはその築造物の外観が粗雑に仕上がるばかりでなく、築造物・建造物・建築構造物および土木構造物・建築物の、耐久性およびモルタルまたはコンクリートもしくはスレートといったセメント製品の強度が減退してしまう、という問題点があった。
【０００８】
現状維持のまま基礎・階段・天井・床面・床板・内外壁・柱・梁・屋上・屋根・石材・れんが・瓦・タイル・サッシ・ドア・シャッター・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などの表面に付着したセメントペーストまたはレイタンスの除去を施さない場合には、基礎・階段・天井・床面・床板・内外壁・柱・梁・屋上・屋根・石材・れんが・瓦・タイル・サッシ・ドア・シャッター・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などを構造物とする築造物・建造物・建築および土木構造物・建築物全体の外観を悪くし、それが発注者の希望に沿わない、という問題点があった。
【０００９】
アルミニウム製品、特にアルミニウム製サッシの表面に付着したセメントペーストまたはモルタルもしくはコンクリートの除去作業における物理的除去方法にあっては、たとえセメントペーストまたはモルタルもしくはコンクリートを除去できたにしても、アルミニウム製サッシの保護膜である酸化アルミニウムを傷つけ、ひいてはそこから雨水が浸入することで、地金の金属アルミニウムが、保護膜のような透明な酸化アルミニウムではなく、白色の、不純物を多く含んだ酸化アルミニウムへと酸化してしまい、金属アルミニウム固有の強度および耐久性ならびに耐食性が劣化してしまう、という問題点があった。
【００１０】
廃棄物としての、セメント、セメントペースト、モルタルおよびコンクリートの処理方法における、酸性物質による中和後、そのままその酸性を呈する液体、溶液または気体中に溶解処理してしまう方法では、処理する際に、地球温暖化に起因する二酸化炭素を大量に発生したり、前記、０００６記載のように、フッ化水素またはその他のフッ化物を含まない酸には不溶なセメント成分すなわち酸化アルミニウムおよび二酸化ケイ素、場合によっては、二酸化ケイ素だけが溶け残って沈殿し、この沈殿物の処理に困る、という問題点があった。フッ化水素、またはその他の、酸性を示すフッ化物、もしくは、フッ化水素またはその他のフッ化物を含む酸で溶解処理してしまう方法でも、処理する際に、地球温暖化に起因する二酸化炭素を大量に発生したり、前記、０００６記載のように、セメント成分すなわち酸化カルシウムと反応し、雨水および地下水ならびに水道水などの水に不溶なフッ化カルシウムを新たに析出沈殿し、この沈殿物の処理に困る、という問題点があった。
【００１１】
また、廃棄物としての、セメント、セメントペースト、モルタルおよびコンクリートの処理方法における、酸性物質による中和後、乾燥固化して土壌により地中に埋設処分する方法では、前処理である中和のおかげで、セメントのもつ強アルカリ性による土壌汚染は免れるものの、やはり、前記、００１０記載の、酸性を呈する液体、溶液または気体による溶解処理により溶け残るセメントの不溶成分よりも、多量の粉体が土中への埋設処分で自然界における食物連鎖のような分解を受けない成分ばかりであるため、結果として、土中への埋設処分では、最終的な処分方法であるとはいいがたい、という問題点があった。
【００１２】
廃棄物としての石綿およびスレートの処理方法である、土壌により地中に埋設処分する、というこの方法は、前記、００１１記載の、土中への埋設処分に同じく、多量の粉体が自然界における食物連鎖のような分解を受けない成分であるし、石綿およびスレート中に含まれている石綿が万一、土中の小動物の体内に入って発がん性を誘発し、これがもとでこの後の食物連鎖に悪影響を及ぼした場合には、必然的に社会問題に発展してしまう、という想定されうる問題点があった。
【００１３】
【課題を解決するための手段】
前記、０００９を除く、０００６から００１２まで記載の、問題点を解決する、という目的を達成するために、本発明の、セメント・セメントペースト・レイタンス・石綿・擬花・廃モルタル微粉末・廃コンクリート微粉末・廃スレート微粉末の溶剤においては、水に、一種類だけのポリアミノポリカルボン酸を、または二種類以上のポリアミノポリカルボン酸を任意に組み合わせて、加え、これに水酸化カリウム、水酸化ナトリウム、水酸化リチウム、水酸化セシウム、水酸化ルビジウム、水酸化フランシウム、水酸化バリウム、水酸化ラジウム、水酸化タリウム（Ｉ）のような水酸化物または水酸化テトラアルキルアンモニウムと、これに必要に応じてアミンを水溶液全体がアルカリ性を呈するようになるまで添加した混合溶液に、ホウ酸を前記記載の混合溶液がアルカリ性を維持していられるまでの範囲内の量を溶解するか、あるいはホウ酸の、金属塩、テトラアルキルアンモニウム塩、またはアミン塩を溶解し、これにさらに必要に応じて、シクロデキストリンまたは二糖もしくは単糖を、ホウ酸を溶解した、あるいは、ホウ酸の金属塩またはホウ酸テトラアルキルアンモニウムもしくはアミンホウ酸塩を溶解した、前記記載の混合溶液全体が、アルカリ性を維持していられるまでの範囲内の量を溶かした、アルカリ性の混合溶液に、セメント、セメントペースト、レイタンス、石綿、廃モルタル微粉末、廃スレート微粉末および廃コンクリート微粉末を溶解することを目的とする場合にあっては、水和物ではない亜二チオン酸の金属塩または亜二チオン酸の金属塩の水和物もしくは亜二チオン酸テトラアルキルアンモニウムないしアミン亜二チオン酸塩あるいは亜二チオン酸テトラアルキルアンモニウムの水和物かつまたアミン亜二チオン酸塩の水和物を加えて、沈殿物および浮遊物のない透明な溶液とした後に、ケイ酸の金属塩の粘性溶液またはケイ酸テトラアルキルアンモニウムもしくはアミンケイ酸塩を添加し、均一に混和させて溶液全体が透明になるように溶解したものとする。
【００１４】
前記、０００９記載の、問題点を解決する、という目的を達成するために、本発明の、セメント・セメントペースト・レイタンスおよび擬花の溶剤においては、亜硝酸または亜硝酸水に、水またはアルコールを加え、これにアミド硫酸すなわちスルファミン酸を添加して、均一になるまで完全に溶解したものとする。
【００１５】
前記、請求項１記載の、セメント・セメントペースト・レイタンス・石綿・擬花・廃モルタル微粉末・廃スレート微粉末および廃コンクリート微粉末の溶剤をつくる際に添加する、ケイ酸の金属塩の粘性溶液は、あらかじめ加温してそれ自体の粘度を低くした状態で、本発明のほかのすべての原料を、沈殿物および浮遊物のない均一で透明なアルカリ性の混合溶液となるように溶解した後に、添加するのが望ましい。なお、粘性溶液以外の、たとえば粉末状固体の、ケイ酸の金属塩、およびあらかじめ加温しておかなかったケイ酸の金属塩の粘性溶液は、沈殿物または浮遊物となりやすく、混合溶液中に十分に溶け込まないことが原因で、ケイ酸の金属塩を添加することで効果を発揮する、セメント・セメントペースト・レイタンス・擬花・廃モルタル微粉末・廃スレート微粉末および廃コンクリート微粉末に含有されている二酸化ケイ素を溶解するという本発明の目的を果たせなくなるため、添加しない方がよい。
【００１６】
前記、請求項１記載の、セメント・セメントペースト・レイタンス・石綿・擬花・廃モルタル微粉末・廃スレート微粉末および廃コンクリート微粉末の溶剤をつくる際に加える、ポリアミノポリカルボン酸の代わりに、それ以外の、配位子をもつ化合物、たとえばシュウ酸、クエン酸、酒石酸、尿素など、を加えるようなことは、つくる途中で沈殿物または浮遊物を生じたり、あるいは実際にセメントなどを溶解しようとするときに、セメント・セメントペースト・レイタンス・石綿・擬花・廃モルタル微粉末・廃スレート微粉末および廃コンクリート微粉末を、目視で溶解したか否かを確認できるほどに溶解する、という溶剤として不可欠の役割を果たせなかったりするため、やめた方がよい。
【００１７】
前記、請求項１記載の、セメント・セメントペースト・レイタンス・石綿・擬花・廃モルタル微粉末・廃スレート微粉末および廃コンクリート微粉末の溶剤をつくる際に添加する、水酸化物およびホウ酸の金属塩には、たとえば水酸化セリウム、ホウ酸鉛のような、ランタノイド元素を含む遷移金属を水酸化物およびホウ酸と化合させたもの、またはたとえば水酸化ベリリウム、メタホウ酸マグネシウムのような、四ホウ酸のアルカリ土類金属塩を除く水酸化物およびホウ酸のアルカリ土類金属塩は添加しないことが望ましい。これは、つくる途中で沈殿物または浮遊物を生じたり、実際にセメントなどを溶解しようとするときに、セメント・セメントペースト・レイタンス・石綿・擬花・廃モルタル微粉末・廃スレート微粉末および廃コンクリート微粉末を、目視で溶解したか否かを確認できるほどに溶解する、という溶剤として不可欠の役割を果たせなかったりするため、である。
【００１８】
前記、請求項２記載の、セメント・セメントペースト・レイタンスおよび擬花の溶剤をつくる際に、亜硝酸または亜硝酸水の代わりに、濃硝酸あるいは濃硫酸を本発明の原料とすることは控えた方がよい。これは、濃硝酸の場合、セメントなどを溶解した後、完全にふき取ったとしても、後日空気中の湿気または雨水が触れてわずかに残留していた濃硝酸が希硝酸となり、たちまち素材である、金属アルミニウムと反応し、腐食に至ってしまう可能性も十分想定することができるからである。濃硫酸の場合には、空気中の湿気または雨水が接触することによる希硫酸の生成で、濃硝酸の場合と同様、素材の金属アルミニウムと反応を開始し、腐食に至ってしまうおそれに加え、セメント・セメントペースト・レイタンスおよび擬花中のカルシウム化合物とさらに反応し、硫酸カルシウムを析出してしまい、これも雨水または地下水もしくは水道水などの水に不溶であるので、白色粉末としてアルミニウム表面に膠着し、セメント・セメントペースト・レイタンスおよび擬花を溶解除去したことにならない、からである。
【００１９】
前記、請求項２記載の、セメント・セメントペースト・レイタンスおよび擬花の溶剤をつくる際に、アミド硫酸の代わりに、その他の、亜硝酸および亜硝酸水を除く、酸または酸性物質を添加するようなことはしないことが望ましい。これは、アミド硫酸以外の酸または酸性物質では、亜硝酸または亜硝酸水の、アルミニウムに対する不動態を示す性質を打ち消してしまい、アルミニウム製品に付着した、コンクリートまたはモルタル中のセメント分の、およびセメントペースト中の、カルシウム化合物を、酸または酸性物質がフッ化水素またはその他のフッ化物を含有する場合には、主として酸化アルミニウムおよび二酸化ケイ素を、その被付着素材であるアルミニウム製品ごと根こそぎ腐食して溶解してしまうため、本発明の特徴を維持できなくなる、からである。
【００２０】
【発明の実施の形態】
前記、請求項１記載の、セメント・セメントペースト・レイタンス・石綿・擬花・廃モルタル微粉末・廃スレート微粉末および廃コンクリート微粉末の溶剤においては、第一に、基礎・階段・天井・床面・床板・内外壁・柱・梁・屋上・屋根・石材・れんが・瓦・タイル・サッシ・ドア・シャッター・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などの表面に付着したセメントペーストまたはレイタンスもしくは擬花の除去作業では、本発明を、スチールウールに、または、ナイロンたわしのような不織布に、もしくは、ナイロンたわしのような不織布またはスチールウールもしくは柔らかい繊維を素材としたディスクを取り付けたものに限定したグラインダーに、原液のままたっぷりと染み込ませ、これを付着したセメントペーストまたはレイタンスもしくは擬花に覆いかぶせてこすり取るようにしてふき取る。その後、万一、本発明により、基礎・階段・天井・床面・床板・内外壁・柱・梁・屋上・屋根・石材・れんが・瓦・タイル・サッシ・ドア・シャッター・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などが発色したり、ふき取った跡が残るようであれば、これを水洗いで落とすようにする。
【００２１】
第二に、廃棄物としての、セメント、セメントペースト、石綿、廃モルタル微粉末、廃スレート微粉末および廃コンクリート微粉末の処理作業では、まず粉砕により骨材および混和材を分別除去後、本発明を、液体の状態を保てる任意の液温で、または煮沸状態で、もしくは融解状態で、先ほど粉砕した、セメント、セメントペースト、石綿、廃モルタル、廃スレートおよび廃コンクリートを少しずつ投入し、攪拌しながら溶解させるようにする。
【００２２】
前記、請求項２記載の、セメント・セメントペースト・レイタンスおよび擬花の溶剤においては、アルミニウム製品の表面に付着した、モルタルまたはコンクリートのセメント分、およびセメントペースト、ならびにレイタンス、なおかつ擬花、の除去作業では、原液の本発明を直接こぼすか、あるいは、プラスチック製のスプレー容器に移し替えてこれを噴霧することにより、付着したセメント分およびセメントペーストならびにレイタンスさらには擬花をたっぷりと濡らし、その後、セメント中の粗い粒分でアルミニウム製品の表面を傷つけないように注意しながら、ウエスなどの柔らかい布地でさっと軽くふき取るようにする。
【００２３】
【実施例】
前記、００２０記載の、本発明の実施の形態に従い、前記、請求項１記載の、本発明を、横浜市磯子区磯子の新築工事中のマンション『マルコー磯子マンション』（現在の名称は『ルッシュ磯子』）外壁のタイルに付着したセメントペーストに対して、スチールウールに原液を染み込ませてこすったところ、タイルおよびタイル周辺の外壁を何ら汚し傷つけることなく、かつ腐食することなく、しかもセメント分が目視で確認できなくなるまでに溶かし洗い落とした。
【００２４】
前記、００２０記載の、本発明の実施の形態に従い、前記、請求項１記載の、本発明を、北海道千歳市のＪＲ南千歳駅前の、一般国道３３７号千歳ランプ橋のコンクリート橋台およびコンクリート橋脚ならびにコンクリート擁壁で、下部工工事の際に付着したレイタンスに対し、ナイロンたわしに原液を染み込ませてこすったところ、橋台および橋脚ならびに擁壁のコンクリート表面を何ら汚し傷つけることなく、かつ腐食することなく、明らかに付着している部分と比較して目視で確認できなくなるまでに溶かし洗い落とした。
【００２５】
前記、００２２記載の、本発明の実施の形態に従い、前記、請求項２記載の、本発明を、北海道札幌市の改築工事中の北海道札幌琴似工業高等学校校舎教室内の内壁の幅木に付着したセメントペースト上に、スプレー容器に入れて噴霧後、ウエスでふき取ったところ、幅木および幅木周辺の内壁および床を何ら汚し傷つけることなく、かつセメント分がすっかり目視で確認できなくなるまでに溶かし洗い落とした。
【００２６】
前記、００２２記載の、本発明の実施の形態に従い、前記、請求項２記載の、本発明を、横浜市鶴見区の改築工事中の横浜市立寛政中学校校舎のアルミサッシの窓枠に付着したセメントペースト上に、スプレー容器に入れて噴霧後、ウエスでふき取ったところ、窓枠および窓枠周辺の内外壁および床を何ら汚し傷つけることなく、かつ腐食することなく、しかもセメント分が目視で確認できなくなるまでに、溶かし洗い落とした。
【００２７】
前記、００２０記載の、本発明の実施の形態に従い、前記、請求項１記載の、本発明を、北海道夕張市の新設工事中の北海道横断自動車道夕張川第二橋のコンクリート橋脚およびコンクリート擁壁の表面に付着した擬花に対し、ウエスに原液を染み込ませてこすったところ、コンクリート橋脚およびコンクリート擁壁を何ら汚し傷つけることなく、かつ腐食することなく、擬花が目視で確認できなくなるまでに、溶かし洗い落とした。
【００２８】
前記、００２０記載の、本発明の実施の形態に従い、前記、請求項１記載の、本発明を、横浜市港南区の新設工事中の都市計画道路環状２号笹下高架橋（現在の名称は、都市計画道路環状２号線打越高架橋）のコンクリ−ト橋脚の表面に付着した擬花に対し、ナイロンたわしに原液を染み込ませてこすったところ、コンクリ−ト橋脚を何ら汚し傷つけることなく、かつ腐食することなく、擬花が目視で確認できなくなるまでに、溶かし洗い落とした。
【００２９】
前記、００２０記載の、本発明の実施の形態に従い、前記、請求項１記載の、本発明を、北海道伊達市の増改築工事中のホテルローヤルの増改築部分にあたるコンクリート階段の表面に付着した擬花に対し、ナイロンたわしに原液を染み込ませてこすったところ、コンクリート階段およびその周辺を何ら汚し傷つけることなく、かつ腐食することなく、擬花が目視で確認できなくなるまでに、溶かし洗い落とした。
【００３０】
【発明の効果】
本発明は、以上説明したように構成してあるので、以下に記載しているような特長により効果を発揮する。
【００３１】
前記、請求項１記載の、セメント・セメントペースト・レイタンス・石綿・擬花・廃モルタル微粉末・廃スレート微粉末および廃コンクリート微粉末の溶剤は、基礎・階段・天井・床面・床板・内外壁・柱・梁・屋上・屋根・ドア・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などの表面に付着したレイタンスまたは擬花もしくは外見上エフロレッセンスと見分けがつかない場合のセメントペーストでも、これらは明らかに、基礎・階段・天井・床面・床板・内外壁・柱・梁・屋上・屋根・ドア・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などがモルタル造またはコンクリート造の場合には、被付着の基礎・階段・天井・床面・床板・内外壁・柱・梁・屋上・屋根・ドア・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などの養生後に付着したものであるので、養生後のモルタル造またはコンクリート造の基礎・階段・天井・床面・床板・内外壁・柱・梁・屋上・屋根・ドア・カーテンウォール・ます・ロックシェッド・スノーシェッド・矢板・側溝・ふた・境界ブロック・境界標杭・標示杭・暗きょ・陶管・ヒューム管・ＰＣ管・透水管・高圧管・ボックスカルバート・アーチカルバート・マンホール・テトラポッド・ピット・ベンチフリューム・ジョイント管・パイプ・水路・プレート・バイコン管・インターロッキングブロック・型枠・平板・床版・橋脚・擁壁・橋台・橋桁・スラブ・魚礁・魚道・ブロック・水門・柵・ダム・覆道・隧道などのような一体化したセメント製品塊を、損傷および腐食をしたりすることなく、また溶解したりすることもなく、養生後に付着したレイタンスおよび擬花ならびに外見上エフロレッセンスと見分けがつかないようなセメントペーストかつもちろん見分けがつくセメントペーストだけを選択的に、さらに地球温暖化因子の二酸化炭素およびメタンのような気体なおかつオゾン層破壊につながるフロン系の気体といった、環境破壊に起因する気体をまったく発生せずに、溶解して除去することができる、という特長を有する。なおまた、本発明のセメント・セメントペースト・レイタンス・石綿・擬花・廃モルタル微粉末・廃スレート微粉末および廃コンクリート微粉末の溶剤は、従来の酸および塩基では不溶または難溶であった、セメント成分の酸化アルミニウムおよび二酸化ケイ素をも、本発明が凝固する温度および被付着物が温度だけで損傷を受ける温度以外であればいかなる液温においても容易に溶解することができる、という特長を有する。
【００３２】
廃棄物としての、セメント、セメントペースト、石綿、廃モルタル微粉末、廃スレート微粉末および廃コンクリート微粉末の処理についても、前記、請求項１記載の、セメント・セメントペースト・レイタンス・石綿・擬花・廃モルタル微粉末・廃スレート微粉末および廃コンクリート微粉末の溶剤では、前記、００３１記載の、特長と同様、地球温暖化に起因するような二酸化炭素およびメタンのような気体なおかつオゾン層破壊に起因するようなフロン系の気体といった、環境破壊に起因する気体をまったく発生せず、酸に、不溶であるか、または難溶である、セメント成分の酸化アルミニウムおよび二酸化ケイ素をも容易に溶解して、土中への埋設のように特定の場所を確保したりする必要がまったくなく、さらにセメント、セメントペースト、石綿、廃モルタル微粉末、廃スレート微粉末または廃コンクリート微粉末を溶解した後の本発明は、本発明の構成成分によっては、農作物などの植物に散布することにより、これらの植物の栄養分としてセメント成分中のカルシウム、ケイ素、鉄分、アルミニウム等が、セメントそのものによる土中埋設よりも吸収されやすくなる、という特長をも有する。
【００３３】
前記、請求項２記載の、セメント・セメントペースト・レイタンスおよび擬花の溶剤は、前記、請求項１記載の、セメント・セメントペースト・レイタンス・石綿・擬花・廃モルタル微粉末・廃スレート微粉末および廃コンクリート微粉末の溶剤に加えて、前記、００２２記載の、本発明の実施の形態のように、純粋な金属アルミニウム、かつアルミサッシの保護膜の酸化アルミニウムを腐食溶解することなく、また本発明自体が、前記、記載の、純粋な金属アルミニウム、かつアルミサッシの保護膜の酸化アルミニウムを傷つけたりすることなく、亜硝酸または亜硝酸水による不動態保護膜形成により、アミド硫酸すなわちスルファミン酸の存在下においても、純粋な金属アルミニウムかつ酸化アルミニウムを腐食溶解せず、亜硝酸または亜硝酸水だけではセメント溶解力に乏しかったところへ、アミド硫酸により、セメントの溶解力促進効果が顕著に表れる、という特長を奏する。